(57)【要約】【課題】  受信するパケット端末に備え付けられる記録装置の記録メディアフォーマットに従って、ネットワークカメラからメディアストリームを配信するようにしたネットワークカメラシステムを提示することを目的とする。【解決手段】  映像・音声を配信するネットワークカメラを、受信する端末に付属する記録装置の記録メディアフォーマットを設定することによって、それに応じた配信フォーマットでストリームを配信させるようにすることにより、容易にメディアに記録することができる。【選択図】  図１
2006237704.tif 000002
【特許請求の範囲】
【請求項１】
パケット通信網を介して、動画像情報、静止画像情報または音声情報を配信し、配信された前記情報を受信するネットワークカメラシステムにおいて、
所定の符号化方式により符号化された画像符号化信号および音声符号化信号を所定のフォーマットにて配列多重化し、上記パケット通信網に配信するためのパケット多重化配信手段と、
上記パケット多重化配信手段によって配信された前記情報を受信して、上記フォーマット形式で記録し、蓄積する蓄積手段を備え、
上記蓄積手段にて記録されるフォーマットで上記パケット多重化配信手段から配信することを特徴とするネットワークカメラシステム。
【請求項２】
上記ネットワークカメラシステムにおいて、
上記配信された前記情報を受信する端末が上記パケット多重化配信手段へ受信可能な上記フォーマット形式を通知することを特徴とする請求項１に記載のネットワークカメラシステム。
【請求項３】
上記ネットワークカメラシステムにおいて、
上記パケット多重化配信手段によって配信可能な上記フォーマット形式のリストを受信し、提示することを特徴とする請求項１に記載のネットワークカメラシステム。
【発明の詳細な説明】
【技術分野】
【０００１】
本発明は、ISDNやADSL、CATVなどを経由してパケット通信網に接続され、動画像、音声、静止画などのマルチメディア情報をパケット操作端末へ配信を行なうネットワークカメラシステムに関する。
【背景技術】
【０００２】
最近、一般家庭でADSLやCATV網などの専用線を使った料金定量制のIP常時接続の運用が始まってきた。このように、家庭端末に対して、インターネット常時接続されるようになると、今まで公衆回線網を使っていた電話やFAXなどの通信手段が、パケット通信網を利用したIPパケット通信で行なえるようになってくる。また、オフィス環境において、従来のシステムバスで構築されていたLAN環境も、光LANなどの広帯域化が進み、数Gbpsの単位で高速化が進んでいる。
【０００３】
現在、動画像、音声、静止画、その他のマルチメディア情報の配信をLAN上で行なうストリーム配信は、ネットワークの高速化に伴い、より大容量なコンテンツが配信されるようになってきた。監視システムにおいては、画像をJPEGフォーマットで圧縮し、静止画として、あるいは、Motion JPEGとして、動画でネットワークに配信するものが多い。また、スポーツイベントやコンサートなどのライブ中継においては、動画をMPEG2フォーマットで、音声をMPEG1Layer2フォーマットあるいはL-PCMなどの高音質で、配信することが望まれる。このように様々なフォーマットで配信される配信されるメディアストリームに対して、受信するパケット端末において、これらの配信情報を記録するには、現在、ハードディスク、DVD±RW、DVD±R、CD-RW、CD-Rのような様々な記録装置を備えることによって蓄積させることになる。
【０００４】
又、従来例としては、例えば特許文献１をあげることが出来る。
【特許文献１】特開2002-314577号公報
【発明の開示】
【発明が解決しようとする課題】
【０００５】
しかし、従来のネットワークカメラシステムのストリーム配信では、配信されたメディアストリームを受信するパケット端末で、記録装置に蓄積する際に、記録メディアのフォーマットを、例えば、DVD-Video、DVD-Audio、Video-CDなどに合わせて、再エンコード、再配置しなければならず、その際の時間的ロスが大きくなり、手間がかかることになる。
【０００６】
本発明では、上記の課題を鑑みて、受信するパケット端末に備え付けられる記録装置の記録メディアフォーマットに従って、ネットワークカメラからメディアストリームを配信するようにしたネットワークカメラシステムを提示することを目的とする。
【課題を解決するための手段】
【０００７】
本発明は、パケット通信網を介して、動画像情報、静止画像情報または音声情報を配信し、配信された前記情報を受信するネットワークカメラシステムにおいて、所定の符号化方式により符号化された画像符号化信号および音声符号化信号を所定のフォーマットにて配列多重化しパケット通信網に配信するためのパケット多重化配信手段と、パケット多重化配信手段によって配信された前記情報を受信して、所定のフォーマット形式で記録し蓄積する蓄積手段を備え、蓄積手段にて記録されるフォーマットでパケット多重化配信手段から配信することにより、配信されたメディアストリームを受信するパケット端末に備え付けられる記録装置の記録メディアに容易に記録、蓄積できるようにした。
【発明の効果】
【０００８】
以上の説明から容易に理解できるように、本発明によれば、受信するパケット端末に備え付けられる記録装置の記録メディアフォーマットに従って、ネットワークカメラからメディアストリームを配信するようにしたことにより、手間のかからない時間的ロスを小さくして、配信されたメディアを蓄積させるネットワークカメラシステムを提示することができる。
【発明を実施するための最良の形態】
【０００９】
以下、図面を参照して、本発明の実施の形態を詳細に説明する。
【００１０】
図１は、本発明のストリーム配信方法を提供するネットワークカメラシステムの実施例として示したブロック構成図である。図１において、１００はネットワークカメラの本体を示す。まず、１０１は焦点合わせ及び絞りを行なうためのレンズユニット、１０２はレンズユニットを駆動するための駆動制御部である。１０３はCCDセンサーやMOSセンサーなどの撮像素子であるが、以降CCDの例を説明する。１０６はタイミングジェネレータ（以下、TG）、１０７は同期信号発生器（以下、SSG）、１０４は相関二重サンプリング部と自動利得制御部（以下、CDS/AGC）、１０５はビデオA/D変換器、１０８は信号処理部、１０９は信号処理部からのY、U/V形式のデジタル画像信号を圧縮し符号化するビデオ符号化部である。１１０はマイクユニット、１１１は、外付けのマイクから音声を入力する外部マイク入力部、１１２はマイクユニット１１０または外部マイク入力部１１１からの音声信号を増幅させるオーディオアンプ、１１３はオーディオアンプ１１２からの音声信号をデジタル音声データに変換するオーディオA/D変換器であり、１１４はオーディオA/D変換器１１３によって変換されたデジタル音声データを圧縮し符号化するオーディオ符号化部である。１１６は符号化された映像情報および音声情報をビデオパケット、オーディオパケットにパケット化処理を行ない、さらに所定のフォーマットに従い、送信されるビデオ、オーディオおよび制御ストリームをLAN I/F部２１５に出力するために、形式に従って配置してパケットの多重化処理を行なうパケット化多重化部である。１１５はネットワークカメラ１００のシステム全体を制御するシステム制御部、LAN I/F部１１７は網と端末間に必要な適応化を測り、４００はLANなどのパケットネットワーク網である。
【００１１】
上記の構成で動作を説明する。
【００１２】
まず、レンズユニット１０１で撮像された画像をCCD１０３上に結像されTG１０６とSSG１０７のタイミングに合わせて光学画像を電気信号に変換し出力する。出力されたCCD信号は、CDS/AGC１０４で調整される。調整後のCCD信号は、ビデオA/D変換器１０５へ供給されてデジタル画像信号となる。このデジタル画像信号は、信号処理部１０８で所定の色処理・ホワイトバランス調整などをデジタル的に行ない、適正レベルに調整されたデジタル信号であるY、U/V、信号として出力される。また、信号処理部１０８ではレンズユニット１０１を駆動するために必要な、AE値や鮮鋭度信号などを取り出し、システム制御部１１５に出力する。システム制御部１０９は、レンズユニット駆動制御部１０２を駆動して、絞りの調整や合焦を行なう。信号処理部１０８から出力されたデジタル画像信号は、Y、U/Vの形式でビデオ符号化部１０９に供給され、配信用に画像データの圧縮、フレームレート設定などを施される。ここでの配信用の圧縮方式は、所定の例えば、MPEG2、MPEG4、H.263またはJPEGなどの規格に基づく。次に、音声はマイクユニット１１０を通して、または多種の外部マイクを使用する場合は外部マイク入力部１１１を通して音声信号に変換され、オーディオアンプ１１２で増幅される。増幅された音声信号はオーディオA/D変換器１１３へ供給されて、8KHz、16KHz、44.1KHzなどの周波数によりサンプリングを行なってデジタル音声データとなる。このデジタル音声データはオーディオ符号化部１１４に供給され、配信用に音声データの圧縮、フレームレート設定などを施される。ここでの配信用の圧縮方式は、所定の例えば、MPEG1、G.711、G.722などの規格に基づく。あるいは圧縮せずにそのままのレベルのL-PCMフォーマットで出力されることもある。ビデオ符号化部１０９から供給された符号化画像情報およびオーディオ符号化部１１４符号化音声情報はパケット化多重化部１１６にて、それぞれビデオパケット、オーディオパケットにパケット化され、さらにLAN I/F部１１７よりLAN４００へ配信されるデータを所定のフォーマットに従って、配置して多重化処理を行なう。ここでの配信用のフォーマットは例えば、MPEG2 PS、MPEG2 TS、MPEG1 Systemなどである。あるいはそのままの符号化されたビデオパケット、オーディオパケットで多重化されることもある。その場合、後に述べるH.323通信端末部分にて所定のフォーマットに従って多重化処理を行なうことになる。
【００１３】
次に、このネットワークカメラ１００を用いたストリーム配信について、詳細に説明する。
【００１４】
図３は本発明のストリーム配信方法を実施する複数台のネットワークカメラ１００がLAN上に接続された場合を想定した構成を示した図である。１００はネットワークカメラで、LAN４００上に数台接続されており、それぞれLAN４００を介して操作パケット端末２００へストリームを配信する。ストリームを受信する操作パケット端末２００には、ネットワークカメラ１００より配信されたビデオおよびオーディオを出力させるモニタ６００と、それぞれのストリームを蓄積させるための例えば、ハードディスク装置や記録型DVD装置などの蓄積装置５００が具備されている。
【００１５】
図２は、ネットワークカメラ１００から配信されたストリームを受信する操作パケット端末部分を示したブロック構成図である。２００は、操作パケット端末の本体を示す。４０１はLAN I/F部で、２０２は受信した所定のフォーマットによって多重化されたパケットをビデオ、オーディオおよび制御の各メディアに分離し、ビデオパケット、オーディオパケットをデパケット化し、符号化画像情報および符号化音声情報を構成させるデパケット化分離部である。２０３は受信した符号化画像情報を伸張し復号化してビデオ出力６００に出力するビデオ復号化部、２０４は受信した符号化音声情報を伸張し復号化してオーディオ出力６００に出力するオーディオ復号化部であり、２０５はビデオ・オーディオコーデックで、２０３、２０４の機能を包含し、DSPなどで実現される。２０７はデパケット化分離部２０２で構成された符号化画像情報および符号化音声情報を蓄積装置５００へ転送し、あるいは蓄積装置５００に蓄積されている符号化画像情報および符号化音声情報を、デパケット化分離部２０２を介してビデオ・オーディオコーデック２０５へ転送し、ビデオおよびオーディオを再生させるようにするための蓄積装置I/F部である。５００は、ネットワークカメラシステム１００から配信されたビデオおよびオーディオストリームを蓄積させる、例えばハードディスク装置や記録型DVD装置などの蓄積装置、２０６はパケット端末２００のシステム全体を制御するシステム制御部である。
【実施例１】
【００１６】
図４に本発明の第１実施例であるネットワークカメラ１００から操作パケット端末部２００へストリームを配信する接続手順を示す。まず、操作パケット端末２００がブロードキャストなどの方法によるデバイス発見手順によって、LAN４００上に接続されているネットワークカメラ１００のIPアドレスを取得する。そして、この数台のリストアップされたネットワークカメラ１００の中から操作するネットワークカメラ１００の取得したIPアドレスの予め決められたポートに対し、操作パケット端末２００からネットワークカメラ１００を使用する意で、“Open”コマンドを送り、それに対してネットワークカメラ１００は“OK”の応答を操作パケット端末２００に送り返す。次に、操作パケット端末２００に備えられている蓄積装置５００のフォーマット、例えば、記録型DVD装置で、DVD±R、RWのメディアは挿入されていれば、“DVD-Videoフォーマット、120min、{MPEG2 PS, MPEG2(D1, CBR, 4M), MP2( 44.1KHz, 224Kbps)}”、またCD±R、RWメディアは挿入されていれば、“Video-CDフォーマット、90min、{ MPEG1 System, MPEG1(SIF, -, 1.5M), MP1(32KHz, 128Kbps)}”のように、操作パケット端末２００に記録されるフォーマットを“記録フォーマット｛多重化フォーマット、画像符号化フォーマット、音声符号化フォーマット｝”の形式で“Notify Record Capacity”コマンドとしてネットワークカメラ１００に通知する。もちろん、記録フォーマットにおけるそれぞれのパラメータ（多重化フォーマット、画像符号化フォーマット、音声符号化フォーマット）は、あらかじめ設定しておく。これにより、ネットワークカメラ１００が、通知された記録フォーマットで配信可能な場合は、“OK”の応答を操作パケット端末２００に送り返す。可能でない場合は、“NG”の応答を操作パケット端末２００に送り返し、“NG”を受け取ったパケット端末２００は、最初に送った記録フォーマットより下位の記録フォーマットをネットワークカメラ１００へ再び通知する。ある程度の回数、“NG”の応答を操作パケット端末２００が受け取ると、その旨を表示し、配信を中断する。そして、“OK”の応答を受け取った操作パケット端末２００は、次に “Start”コマンドをネットワークカメラ１００送ることにより、ネットワークカメラ１００は通知した記録フォーマットに応じたメディアストリームを操作パケット端末２００へ配信を始める。操作パケット端末２００が受信したストリームは、LAN I/F２０１を通じて蓄積装置I/F２０７を介して蓄積装置５００へ転送させる。転送させたメディアストリームは配信されたフォーマットによって挿入されている記録メディアに記録される。きろくが終了されると、操作パケット端末２００はネットワークカメラ１００へ“Stop”コマンドを送り、さらに、“Close”コマンドを送ることにより、ネットワークカメラ１００を解放させる。記録されたメディアストリームは、デパケット化分離部２０２を介して、ビデオ復号化部２０３およびオーディオ復号化部２０４を通じて、ビデオ出力６００およびオーディオ出力６００から再生させることもできる。さらには、これにより、タイムシフト、追っかけ再生なども行なうことができる。ネットワークカメラ１００を複数使用する場合も、上記の手順を平行して行なうことで可能である。
【実施例２】
【００１７】
次に、図５に本発明の第２実施例であるネットワークカメラ１００から操作パケット端末部２００へストリームを配信する接続手順を示す。操作パケット端末２００がブロードキャストなどの方法によるデバイス発見手順によって、LAN４００上に接続されているネットワークカメラ１００のIPアドレスを取得する。そして、この数台のリストアップされたネットワークカメラ１００の中から操作するネットワークカメラ１００の取得したIPアドレスの予め決められたポートに対し、操作パケット端末２００からネットワークカメラ１００を使用する意で、“Open”コマンドを送り、それに対してネットワークカメラ１００は“OK”の応答を操作パケット端末２００に送り返す。次に、操作パケット端末２００は、ネットワークカメラ１００へ配信可能なフォーマットを要求する“Request Stream Capacity”コマンドを送る。このコマンドを受け取ったネットワークカメラ１００は、配信可能なメディアのフォーマットを、上記と同様に“記録フォーマット｛多重化フォーマット、画像符号化フォーマット、音声符号化フォーマット｝”の形式で、“Response Stream Capacity” 応答を操作パケット端末２００に送り返す。“Response Stream Capacity” 応答を受け配信可能なフォーマットのリストを受け取った操作パケット端末２００は、蓄積装置５００に挿入した記録メディアに記録するフォーマットを選択し、これに応じたフォーマットを “Set Stream Capacity”コマンドでネットワークカメラ１００に送る。それに対してネットワークカメラ１００は“OK”の応答を操作パケット端末２００に送り返す。以下は、上記と同様に “Start”コマンドをネットワークカメラ１００送ることにより、ネットワークカメラ１００は通知した記録フォーマットに応じたメディアストリームを操作パケット端末２００へ配信を始める。操作パケット端末２００が受信したストリームは、LAN I/F２０１を通じて蓄積装置I/F２０７を介して蓄積装置５００へ転送させる。転送させたメディアストリームは配信されたフォーマットによって挿入されている記録メディアに記録される。
【図面の簡単な説明】
【００１８】
【図１】本発明の実施例を示すネットワークカメラのブロック構成図である。
【図２】本発明の実施例を示すパケット端末装置のブロック構成図である。
【図３】LAN端末接続構成図である。
【図４】本発明の第１実施例を示すネットワークカメラ１００から操作パケット端末部２００へストリームを配信する接続手順を示す図である。
【図５】本発明の第２実施例を示すネットワークカメラ１００から操作パケット端末部２００へストリームを配信する接続手順を示す図である。
【符号の説明】
【００１９】
１００  ネットワークカメラ
１０１  レンズユニット
１０２  駆動制御部
１０３  CCD
１０４  CDS/AGC
１０５  ビデオA/D変換器
１０６  TG
１０７  SSG
１０８  信号処理部
１０９  ビデオ符号化部
１１０  マイクユニット
１１１  外部マイク入力部
１１２  オーディオアンプ
１１３  オーディオA/D変換器
１１４  オーディオ符号化部
１１５  システム制御部
１１６  パケット化多重化部
１１７  LAN I/F部
４００  LAN
【図１】
2006237704.tif 000003
【図２】
2006237704.tif 000004
【図３】
2006237704.tif 000005
【図４】
2006237704.tif 000006
【図５】
2006237704.tif 000007